(57)【要約】【課題】シリコン（ニス）といった潤滑助剤を用いずともカール部の成形トラブルを減少する。【解決手段】外装紙17は，容器本体の胴部の外側との間に断熱空間を形成するように上記胴部に被せられかつ固定される，下端周縁部に内向きカール部を有する円筒状の外装スリーブを形成するものである。外装紙17の下縁部17ｂに複数のカット部ｋ１〜ｋ７が形成されている。複数のカット部は幅広のカット部ｋ１〜ｋ５と幅狭のカット部ｋ６，ｋ７とを含む。幅狭のカット部ｋ６，ｋ７は，外装紙17の胴貼りされるのりしろ部に近い箇所に形成されている。【選択図】図５
2019189242.tif 000002
【特許請求の範囲】
【請求項１】
筒状の胴部および上記胴部の下面を閉鎖する底部を備える容器本体の上記胴部の外側との間に断熱空間を形成するように上記胴部に被せられかつ固定される，下端周縁部に内向きカール部を有する筒状の外装スリーブを形成する外装紙であって，
上記外装紙の下縁部に複数のカット部が形成されており，上記複数のカット部が幅広のカット部と幅狭のカット部とを含み，上記外装紙の下縁両側部の少なくとも一方に上記幅狭のカット部が形成されている，
断熱容器用外装紙。
【請求項２】
上記外装紙の下縁両側部に上記幅狭のカット部が形成されている，
請求項１に記載の断熱容器用外装紙。
【請求項３】
上記複数のカット部が上記外装紙の下縁中央に対して左右対称に配置されている，
請求項１または２に記載の断熱容器用外装紙。
【請求項４】
上記カット部が三角形の形状を持つ，
請求項１から３のいずれか一項に記載の断熱容器用外装紙。
【請求項５】
上記カット部が滑らかな弧状縁を持つ，
請求項１から４のいずれか一項に記載の断熱容器用外装紙。
【請求項６】
上記複数のカット部が上記内向きカール部が形成されるカール領域の高さの50％以下のカット深さを持つ，
請求項１から５のいずれか一項に記載の断熱容器用外装紙。
【請求項７】
上記複数のカット部が同じカット深さを持つ，
請求項１から６のいずれか一項に記載の断熱容器用外装紙。
【請求項８】
筒状の胴部および上記胴部の下面を閉鎖する底部を備える容器本体と，上記容器本体の胴部の外側との間に断熱空間を形成するように上記胴部に被せられかつ固定される，下縁部に内向きカール部を有する筒状の外装スリーブとを備え，
上記外装スリーブの内向きカール部の末端部に複数のカット部が形成されており，上記複数のカット部が幅広のカット部と幅狭のカット部とを含み，上記外装スリーブの胴貼り部付近に上記幅狭のカット部が位置している，
断熱容器。
【発明の詳細な説明】
【技術分野】
【０００１】
この発明は，断熱容器用外装紙，上記外装紙の両側部を貼り合わせて筒状にし，下端周縁部にカール部を形成した外装スリーブ，および上記外装スリーブを備える断熱容器に関する。
【背景技術】
【０００２】
断熱容器は，一般に，胴部および底部を有する容器本体と，この容器本体の外側に装着される筒状の外装スリーブとから構成され，容器本体の胴部と外装スリーブとの間に空隙を設け，この空隙により断熱性を持たせている。容器本体の胴部と外装紙との間に空隙を設けるために，外装スリーブの下端周縁部に内向きのカール部が形成される。
【０００３】
外装スリーブのカール部は，筒状に形成した外装紙の下端周縁部に加工冶具（型）を押し付けることによって形成される。種類の異なる加工冶具を用いて外装紙の下端周縁部に加工冶具を複数回にわたって押し付けることで，カール部に次第に丸みを帯びさせることができる。特許文献１は３台のカール加工装置を備えるスリーブ製造装置を開示する。
【先行技術文献】
【特許文献】
【０００４】
【特許文献１】特開２０００−１９０４０７号公報
【０００５】
加工冶具は外装紙の下端周縁部の全周に同時に押し付けられ，下端周縁部の全周にわたって同時にカール部の形成が行われる。加工冶具によって外装紙の下端周縁部に加えられる負荷が均等でない場合，下端周縁部の一部に成型トラブル（たとえばきれいに丸められない箇所の発生）が生じることがある。カール部の成型トラブルを防止または軽減するために，カールされる外装紙の下縁部にあらかじめシリコン（ニス）に代表される潤滑助剤を塗布することが行われている。加工冶具が押し付けられたときの滑りが良好になるので成型トラブルが減少する。
【発明の概要】
【０００６】
この発明は，シリコン（ニス）といった潤滑助剤を用いずともカール部の成形トラブルを減少することを目的とする。
【０００７】
この発明による断熱容器用外装紙は，筒状の胴部および上記胴部の下面を閉鎖する底部を備える容器本体の上記胴部の外側との間に断熱空間を形成するように上記胴部に被せられかつ固定される，下端周縁部に内向きカール部を有する筒状の外装スリーブを形成するものであって，上記外装紙の下縁部に複数のカット部が形成されており，上記複数のカット部が幅広のカット部と幅狭のカット部とを含み，上記外装紙の下縁両側部の少なくとも一方に上記幅狭のカット部が形成されているものである。
【０００８】
断熱容器用外装紙の両側部を貼り合わせることで，外装紙は筒状に形付けられる。断熱容器用外装紙の下縁部は筒状にされることで下端周縁部となる。
【０００９】
断熱容器用外装紙は，上述のようにその両側部を貼り合わせて筒状にし，さらにその下縁部（下端周縁部）を内向きにカールし内向きカール部を形成することで外装スリーブとなる。内向きにカールされる断熱容器用外装紙の下縁部に，幅広のカット部と幅狭のカット部とを含む複数のカット部が形成されている。複数のカット部は互いに隣接させて形成してもよいし，間隔をあけて形成してもよい。下縁部をカールする，すなわち加工冶具を下縁部に押し付けると，カットされていない部分に負荷が加わる。カット部を持たない下縁部に加工冶具を押し付けるのに比べて内向きカール部の形成トラブル（たとえばきれいに丸められない箇所の発生）を少なくすることができる。また，内向きカール部を形成したときの外装紙の重なりをカット部によって少なくすることができるので，皺のないまたは皺の少ないきれいな表面を持つカール部を形成することができる。
【００１０】
この発明によると，幅広のカット部と幅狭のカット部の２種類のカット部が外装紙の下縁部に形成されており，このうち幅狭のカット部が，外装紙の下縁両側部の少なくとも一方に形成されている。上述のように，外装紙はその両側部を貼り合わせることで筒状とされるので，外装紙の両側部は外装スリーブの胴貼り部となる。カール部の成形トラブルはこの胴貼り部またはその周辺において発生しやすい。胴貼り部となる外装紙の両側部の少なくとも一方に幅狭カット部を形成しておくことによって，胴貼り部付近における成形トラブルの発生を，幅広カット部を形成する場合に比べて少なくすることができる。幅狭カット部の両側のカットされていない部分は加工冶具からの力を受けやすく，幅広カット部とするよりもカールさせやすくなるからである。
【００１１】
幅狭カット部は外装紙の下縁両側部の少なくとも一方に形成され，残りの範囲に幅広のカット部が形成される。下端部の全部に幅狭カット部を形成せず，幅広カット部を含ませることによって，外装紙の下縁部に形成されるカット部の数を少なくすることができ，打ち抜き工程における打ち抜き片（カット部が形成されることで外装紙から切り取られる部分）のむしり作業を極力少なくすることができる。
【００１２】
上記幅狭カット部は，上述のように，上記外装紙の下縁両側部の一方に形成すればよい。もちろん上記外装紙の下縁両側部（左右の両方）に形成してもよい。
【００１３】
一実施態様では，上記複数のカット部（幅狭カット部と幅広カット部の両方を含むカット部）が，上記外装紙の下縁中央に対して左右対称に配置されている。加工冶具が押し付けられたときに外装紙に加わる負荷を全周にわたって均等にすることができる。もっとも，下縁部の複数のカット部は完全に左右対称に配置されることは求められず，外装紙の下縁両側部の一方に幅狭のカット部が形成される場合には，幅狭のカット部を除く幅広のカット部を左右対称に配置してもよい。複数のカット部の左右対称配置にはこのような態様も含まれる。
【００１４】
上記カット部（打ち抜きされる部分の形状）は一実施態様では三角形の形状を持つ。三角形の斜辺（縁部）は直線状であっても滑らかな弧状であってもよい。
【００１５】
好ましくは，上記複数のカット部が上記内向きカール部が形成されるカール領域の高さの50％以下のカット深さを持つ。内向きカール部が形成されたときにカット部（凹凸を持つ下端周縁部）を外から見えないようにすることができ，見栄えのよい外装スリーブとすることができる。
【００１６】
一実施態様では，複数のカット部が同じカット深さを持つ。カール部を形成するときの負荷を全周にわたってばらつきのないものとすることができる。
【００１７】
この発明は，上述した断熱容器用外装紙から形成される外装スリーブを備える断熱容器も提供する。
【図面の簡単な説明】
【００１８】
【図１】断熱容器の一部破断正面図である。
【図２】断熱容器を構成する外装スリーブのブランク（展開状態の外装紙）である。
【図３】他の実施例の外装スリーブのブランク（展開状態の外装紙）である。
【図４】さらに他の実施例の外装スリーブのブランク（展開状態の外装紙）である。
【図５】さらに他の実施例の外装スリーブのブランク（展開状態の外装紙）である。
【実施例】
【００１９】
図１は断熱容器の一部破断正面図を示している。図２は断熱容器を構成する外装スリーブを形成するための外装紙（ブランク，展開図）を示している。
【００２０】
断熱容器１は，容器本体を構成する胴部12および底部13と，外装スリーブ14とを備えている。
【００２１】
胴部12は上部の径が大きく，下にいくほど径の小さくなる円筒状で，開口する上面から熱湯，コーヒー，スープ等が注がれる。胴部12の上端周縁部は外側に向けて巻かれ，いわゆる外向きカール部12Ａが形成されている。底部13は円形で，その周縁部が下方に屈曲されている（屈曲部13Ａ）。底部13は胴部12の下面開口内にぴったりと嵌り，胴部12の下端部が内側に折り返され（折り返し部12Ｂ），この折り返し部12Ｂが底部13の屈曲部13Ａを挟んでいる。底部13の屈曲部13Ａの内外両面と，これを挟む胴部12の下端部の内面とは接着または溶着され，胴部12の下端開口は底部13によってしっかりと塞がれる。
【００２２】
外装スリーブ14が容器本体の胴部12の外側に装着される。図１，図２を参照して，外装スリーブ14は，弧状に形成されたブランク（外装紙）の側部同士を接着して筒状とし，その下縁部14ｂに内側に向かう内向きカール部14Ａを形成したものである。
【００２３】
外装スリーブ14を形成するブランク（外装紙）は打ち抜きによって図２に示す形状につくられ，弧状の上縁部14ａよりも弧状の下縁部14ｂの長さが短く，一側部に接着剤Ｎが塗布されたのりしろ部を持つ。接着剤Ｎによって外装紙の側部同士を接着して筒状にすると，胴部12と同様に，上部の径が大きく，下にいくほど径が小さくなる円筒状になる。外装スリーブ14の高さは，胴部12の高さよりもやや低い。円筒状の外装スリーブ14内に，底部13を有する胴部12を上から入れる（嵌入する）。外装スリーブ14の上端部が胴部12の外向きカール部12Ａと胴部12との間のすき間に入り込み，外装スリーブ14の下端部の内向きカール部14Ａが胴部12の糸じり部分の外面に接触する。外装スリーブ14の上端部および内向きカール部14Ａの一方または両方を胴部12に接着して，外装スリーブ14を胴部12にしっかりと固定してもよい。
【００２４】
外装スリーブ14の下端部に内向きカール部14Ａが形成されているので，外装スリーブ14と容器本体の胴部12の間には隙間が形成され，この隙間が胴部12の外面と外装スリーブ14の内面との間の断熱空間Ｄとなる。容器本体内に注がれた熱湯等の熱が直接に手に伝わらず，持ちやすい。
【００２５】
外装スリーブ14の下端部の内向きカール部14Ａは，外装スリーブ14を形成するための図２に示す外装紙14の下縁部（下端部）14ｂに加工冶具（型）を押し付けることによって形成される。以下では，円筒状に形成されかつ下端部に内向きカール部14Ａが形成された状態（完成状態）を外装スリーブ14と呼び，完成に至っていない状態を外装紙14と呼ぶ。
【００２６】
具体的には，はじめに側部同士を接着剤Ｎを用いて接着することで外装紙14を円筒状に形成し，次に環状となった外装紙14の下端周縁部14ｂに加工冶具を押し付けることによって，内向きカール部14Ａは形成される。種類の異なる加工冶具を下端周縁部に複数回にわたって押し付けることで，次第にカール部14Ａに丸みを帯びさせることができる。図２には外装紙14の下端部領域のうち丸みを帯びることになる領域（以下，カール領域14Ｂという）が鎖線ハッチングによって示されている。
【００２７】
カール部14Ａが形成される外装紙14の下縁部14ｂに，複数の，この実施例では９つのカット部ｋ１〜ｋ９が形成されている。カット部ｋ１〜ｋ９のうち，カット部ｋ１〜ｋ８のそれぞれは左右対称の三角形（三角形の２つの斜辺）の形状を持つ。のりしろ部に近いカット部ｋ９のみ三角形の一方の斜辺の形状を持つ。
【００２８】
カール部14Ａを形成するときに用いられる上述した加工冶具は，筒状にされた外装紙14の下端周縁部の全周に同時に押し付けられ，全周にわたって同時にカール部14Ａが形成される。加工冶具が押し付けられる外装紙14の下縁部14ｂにカット部ｋ１〜ｋ９を形成しておくことによって，加工冶具と接する部分が下縁部14ｂの全体ではなくなり，カットされていない部分に負荷が加わることになり，これによって成形トラブル（たとえばきれいに丸められない箇所の発生）を少なくすることができる。また，カール部14Ａを形成したときに発生する外装紙14の重なりをカット部ｋ１〜ｋ９によって少なくすることができるので，皺のないまたは少ないきれいな表面を持つカール部14Ａを形成することができる。
【００２９】
加工冶具を押し付けたときに外装紙14に加わる負荷を全周にわたっておおよそ均等にするために，複数のカット部ｋ１〜ｋ９は外装紙14の弧状の下縁の中央（左右端から等距離の箇所）に対しておおよそ左右対称（均等）に形成（配置）される。図２に示す外装紙14の下縁部14ｂのカット部ｋ１〜ｋ９では，カット部ｋ５がほぼ中心（下縁部14ｂのほぼ中央）に形成され，その左右に４つずつのカット部ｋ１〜ｋ４，ｋ６〜ｋ９が形成されている。
【００３０】
また，カット部ｋ１〜ｋ９のうち，中央付近に形成されたカット部ｋ３〜ｋ７の幅Ｗ３〜Ｗ７に比べて，両側部付近に形成されたカット部ｋ１，ｋ２，ｋ８，ｋ９の幅Ｗ１，Ｗ２，Ｗ８，Ｗ９が狭い。これは，カール部14Ａを形成するときに成型トラブルが発生しやすいのが胴貼部付近であることを理由とする。胴貼部付近に位置することになる外装紙14の下縁両側部付近のカット部ｋ１，ｋ２，ｋ８，ｋ９の幅Ｗ１，Ｗ２，Ｗ８，Ｗ９を狭くしておくことによって，胴貼部付近の成型トラブルを少なくすることができる。幅狭カット部の両側は加工冶具が押し付けられるときに加工冶具からの力を受けやすく，幅広カット部とするよりもカールさせやすくなるからである。カット部ｋ１〜ｋ９のそれぞれ幅は，最終的に形成される外装スリーブ14の大きさにも依存するが，８〜30mmの幅の範囲内で作成される。
【００３１】
外装紙14の下縁部14ｂに幅狭のカット部のみを形成せずに，幅広のカット部を含ませるのは，幅広のカット部を形成することによって外装紙14の下縁部14ｂに形成されるカット部の数を少なくするためである。これによって打ち抜き工程における打ち抜き片（カット部が形成されることで外装紙14から切り取られる部分）のむしり作業を極力少なくすることができる。なお，カット部の形成のためだけの打ち抜き工程は必要とされず，打ち抜き工程が増えることはない。
【００３２】
また，カット部ｋ１〜ｋ９のカット深さは，いずれもカール領域14Ｂの高さの50％以下にとどめておくのが好ましい。カール部14Ａを形成したときにカール部14Ａの末端部に位置することになるカット部ｋ１〜ｋ７を外側から見えなくすることができ，見栄えのよい外装スリーブ14を形成することができる。カット部ｋ１〜ｋ９はいずれも同じカット深さで形成するのが好ましい。
【００３３】
カット部を持たない外装紙を用いて内向きカール部14Ａを形成する場合，外装紙の下縁部に押し付けられる加工冶具との間の滑りを良くして成形トラブルを減少するために，外装紙の下縁部に潤滑助剤，たとえばシリコン（ニス）をあらかじめ塗布することが行われている。上述したカット部を備える外装紙14を用いることで，シリコン（ニス）を塗布せずとも成形トラブルの減少を図ることができる。もっとも，カット部を備える外装紙14においても，その下縁部14ｂにシリコン（ニス）をあらかじめ塗布することは可能である。
【００３４】
図３から図５は他の実施例の外装スリーブを形成するための外装紙を示している。
【００３５】
図３に示す外装紙15も，上縁部15ａよりも下縁部15ｂの長さが短く，接着剤Ｎを用いて側部同士を接着することで，上部の径が大きく，下にいくほど径が小さくなる円筒状とされる。下端周縁部に加工冶具を押し付けてカール領域15Ｂを内向きに丸めることでカール部を備える外装スリーブが形成される。
【００３６】
下縁部15ｂのカール領域15Ｂに９つのカット部ｋ１〜ｋ９が形成されている。カット部ｋ１〜ｋ９のそれぞれが滑らかな弧状縁を持つように形成されている点が，直線的な縁部を持つカット部ｋ１〜ｋ９を備える図２に示す上述した外装紙14と異なる。図３に示す外装紙15もカール部を形成するときの成型トラブルを少なくすることができる。
【００３７】
図４に示す外装紙16も，上縁部16ａよりも下縁部16ｂの長さが短く，接着剤Ｎを用いて側部同士を接着すると，上部の径が大きく，下にいくほど径が小さくなる円筒状になる。加工冶具を押し付けてカール領域16Ｂを内向きに丸めることでカール部が形成される。
【００３８】
下縁部16ｂに８つのカット部ｋ１〜ｋ８が形成されている。成型トラブルが比較的生じにくい外装紙16の下縁の中央範囲にカット部が形成されていない点が，上述した外装紙14，15と異なる。外装紙16についても下縁両側部に幅狭のカット部ｋ１，ｋ８が形成されているので，カール部を形成するときの成型トラブルは少ない。
【００３９】
図５に示す外装紙17も，上縁部17ａよりも下縁部17ｂの長さが短く，接着剤Ｎを用いて側部同士を接着することで，上部の径が大きく，下にいくほど径が小さくなる円筒状になる。加工冶具を押し付けてカール領域17Ｂを内向きに丸めることで，カール部が形成される。
【００４０】
下縁部17ｂに７つのカット部ｋ１〜ｋ７が形成されている。幅狭カット部ｋ６，ｋ７が下縁両側部ではなく，一側部（のりしろ部に近い側）のみに形成されている点が，両側部に幅狭カット部が形成された上述した外装紙14〜16（図２〜図４）と異なる。胴貼部付近に位置することになる外装紙の一側部に形成されるカット部ｋ６，ｋ７の幅Ｗ６，Ｗ７を狭くしておくことで，胴貼部付近のカール成型時の成型トラブルを少なくすることができる。
【００４１】
坪量350ｇ／ｍ2の外装紙14〜17から外装スリーブを作成したところ，内向きカール部14Ａの成型トラブルの発生率は格段に減少することが確認された。特に図５に示す外装紙17を用いると，内向きカール部14Ａの成型トラブルはほとんど生じることがなかった。
【符号の説明】
【００４２】
１  断熱容器
12  胴部
13  底部
14，15，16，17  外装スリーブ
14Ａ  内向きカール部
14Ｂ，15Ｂ，16Ｂ，17Ｂ  カール領域
ｋ１，ｋ２，ｋ３，ｋ４，ｋ５，ｋ６，ｋ７，ｋ８，ｋ９  カット部
【図１】
2019189242.tif 000003
【図２】
2019189242.tif 000004
【図３】
2019189242.tif 000005
【図４】
2019189242.tif 000006
【図５】
2019189242.tif 000007